(57)【要約】【課題】インパクト時を的確に判定できるゴルフスイング撮像装置を提供する。【解決手段】画像を撮像するカメラ１０と、このカメラ１０から出力される画像データを記憶するレコーダ３０と、ボール２が置かれるティー１と、このティー１上に置かれるボール２に当接するか否かを検出してボール２が離れるのに伴ってトリガ信号を出力するボール検出手段２０とを備え、レコーダ３０はトリガ信号に基づいて画像データを記憶する構成とした。【選択図】図１
2010167077.tif 000002
【特許請求の範囲】
【請求項１】
画像を撮像するカメラと、
このカメラから出力される画像データを記憶するレコーダと、
ボールが置かれるティーと、
このティー上に置かれる前記ボールに当接するか否かを検出して前記ボールが離れるのに伴ってトリガ信号を出力するボール検出手段とを備え、
前記レコーダはトリガ信号に基づいて画像データを記憶する構成としたことを特徴とするゴルフスイング撮像装置。
【請求項２】
前記ティーに対して昇降可能に支持される可動棒と、
この可動棒を上方向に付勢するスプリングと、
前記可動棒が上昇する動作によってトリガ信号を出力するスイッチとを備える構成としたことを特徴とする請求項１に記載のゴルフスイング撮像装置。
【発明の詳細な説明】
【技術分野】
【０００１】
本発明は、練習者のゴルフスイングを撮像し、再生するゴルフスイング撮像装置に関するものである。
【背景技術】
【０００２】
従来、練習者のゴルフスイングを撮像し、撮像したゴルフスイングの画像データを１回のゴルフスイング毎に分割して再生するゴルフスイング撮像装置があった。
【０００３】
こうしたゴルフスイング撮像装置は、ゴルフクラブがボールに当たってボールが飛び出すインパクト時を検出してトリガー信号を出力し、このトリガー信号に基づいて撮像したゴルフスイングの画像データを１回のゴルフスイング毎に分割して記憶するようになっている。
【０００４】
特許文献１、２に開示されたゴルフスイング撮像装置は、インパクト時を検出する手段として、撮像した画像データに基づいてティー上にセットされたボールが無くなるタイミングをインパクト時と判定するようになっている。
【０００５】
また、特許文献１の図９には、インパクト時を検出する手段として、ティーに圧電センサ等による振動センサを固着した構成が開示されている。この振動センサによってゴルフクラブがボールに当たる際に生じるティーの振動が検出され、この振動が検出されるタイミングをインパクト時と判定するようになっている。
【特許文献１】特開平５−１５６２８号公報
【特許文献２】特開２００８−１０４５０９号公報
【発明の開示】
【発明が解決しようとする課題】
【０００６】
しかしながら、このような従来の画像データを基にボールの有無を判定する構成にあつては、カメラの設置位置によっては、ボールの有無によってインパクト時を的確に判定できないという問題点があった。
【０００７】
また、振動センサを用いてティーの振動を検出する構成にあつては、ボールまたはティーに対するゴルフクラブの当たり方によっては、ティーに生じる振動の大きさが大幅に異なるため、振動の大きさによってインパクト時を的確に判定できないという問題点があった。
【０００８】
本発明は上記の問題点に鑑みてなされたものであり、インパクト時を的確に判定できるゴルフスイング撮像装置を提供することを目的とする。
【課題を解決するための手段】
【０００９】
本発明は、画像を撮像するカメラと、このカメラから出力される画像データを記憶するレコーダと、ボールが置かれるティーと、このティー上に置かれるボールに当接するか否かを検出してボールが離れるのに伴ってトリガ信号を出力するボール検出手段とを備え、レコーダはトリガ信号に基づいて画像データを記憶する構成としたことを特徴とするものとした。
【発明の効果】
【００１０】
本発明によると、ボール検出手段はティー上に置かれたボールに当接してボールの有無を検出することにより、ゴルフクラブがボールに当たってボールが飛び出すインパクト時を的確に判定できる。これにより、レコーダは、ボール検出手段のトリガ信号を基に画像データを１回のゴルフスイング毎に分割して再生することができる。
【図面の簡単な説明】
【００１１】
【図１】本発明の実施の形態を示すゴルフスイング撮像装置の斜視図。
【図２】同じくティーの断面図。
【発明を実施するための最良の形態】
【００１２】
以下、本発明の実施の形態を添付図面に基づいて説明する。
【００１３】
図１は、例えばゴルフ練習場に設けられるゴルフスイング撮像装置の構成を示している。このゴルフ練習場では、ボール２が置かれるティー（ボール受け）１が設けられる。練習者がゴルフスイングを行い、ゴルフクラブでティー１上に置かれたボール２を打つようになっている。
【００１４】
ゴルフスイング撮像装置は、練習者がゴルフスイングを行う様子を撮像するカメラ１０と、このカメラ１０から出力される信号を入力して画像データを記憶するレコーダ３０と、撮像したゴルフスイングの画像を表示するモニタ４０とを備える。
【００１５】
カメラ１０は、例えばＣＣＤ（電荷結合素子、図示せず）とレンズ（図示せず）を備えるＣＣＤカメラが用いられる。ゴルフスイング撮像装置の作動中に、カメラ１０は常時撮像し続け、この撮像した画像を電気信号に変換してレコーダ３０へ出力するようになっている。
【００１６】
カメラ１０は、練習者のゴルフスイングを撮像可能なように設置されている。なお、複数台のカメラ１０によって、異なる方向から練習者のゴルフスイングを撮像するようにしてもよい。
【００１７】
ゴルフスイング撮像装置は、ティー１上に置かれたボール２の有無を検出するボール検出手段２０を備える。
【００１８】
ボール検出手段２０は、後述するようにティー１に内蔵され、ティー１上に置かれたボール２に当接してＯＮ・ＯＦＦするものである。ボール検出手段２０は、ティー１上に置かれたボール２に当接するか否かを検出してボール２が離れるのに伴ってトリガ信号をレコーダ３０へ出力するようになっている。
【００１９】
レコーダ３０は、トリガ信号が入力されるタイミングから前後に所定時間に渡る画像データを記憶し、１回のゴルフスイング毎に分割された画像データを再生し、モニタ４０にその映像を表示するように構成される。
【００２０】
図２は、ティー１の断面を示している。ティー１は、凹状に窪む受け部１１を有し、この受け部１１にボール２が置かれる。
【００２１】
ボール検出手段２０は、ボール２に当接して移動する可動棒２１と、この可動棒２１の移動によってＯＮ・ＯＦＦするスイッチ２３とを備える。
【００２２】
円柱状の可動棒２１は、ティー１の中央部に開口した穴１２に摺動可能に嵌合する。ティー１内に可動棒２１を上方向に付勢するスプリング２２が設けられる。可動棒２１はスプリング２２の付勢力によって受け部１１の中央部に突出する。
【００２３】
スイッチ２３は、可動棒２１がスプリング２２の付勢力によって受け部１１に突出した上昇位置にあるとＯＦＦになり、可動棒２１がスプリング２２に抗して下降するとＯＮになる。
【００２４】
ボール２が受け部１１に載せられると、ボール２がティー１に当接し、ボール２の重力によって可動棒２１が下降し、スイッチ２３がＯＦＦからＯＮになる。
【００２５】
こうしてティー１にボール２が置かれた状態で、練習者がゴルフスイングを行い、ゴルフクラブがボール２に当たってボール２が飛び出すと、可動棒２１がスプリング２２の付勢力によって上昇し、スイッチ２３がＯＮからＯＦＦになる。
【００２６】
レコーダ３０は、スイッチ２３がＯＮからＯＦＦになるのに伴って出力されるトリガ信号が入力されるタイミングをゴルフクラブがボール２に当たってボール２が飛び出すインパクト時として、このインパクト時から所定時間（数秒）だけ前の時点からインパクト時から所定時間（数秒）だけ後の時点までの画像データを記憶し、１回のゴルフスイング毎に分割された画像データを再生し、モニタ４０にその映像を表示する。
【００２７】
以上のように本実施の形態では、画像を撮像するカメラ１０と、このカメラ１０から出力される画像データを記憶するレコーダ３０と、ボール２が置かれるティー１と、このティー１上に置かれるボール２に当接するか否かを検出してボール２が離れるのに伴ってトリガ信号を出力するボール検出手段２０とを備え、レコーダ３０はトリガ信号に基づいて画像データを記憶する構成とした。
【００２８】
上記構成に基づき、ボール検出手段２０はティー１上に置かれたボール２に当接するか否かを検出することにより、ゴルフクラブがボール２に当たってボール２が飛び出すインパクト時を的確に判定できる。これにより、レコーダ３０は、ボール検出手段２０のトリガ信号を基に画像データを１回のゴルフスイング毎に分割して再生することができる。
【００２９】
本実施の形態では、ティー１に対して昇降可能に支持される可動棒２１と、この可動棒２１を上方向に付勢するスプリング２２と、可動棒２１が上昇する動作によってトリガ信号を出力するスイッチ２３とを備える構成とした。
【００３０】
上記構成に基づき、ティー１にボール２が置かれた状態で、ゴルフクラブがボール２に当たってボール２が飛び出すと、可動棒２１がスプリング２２の付勢力によって上昇し、スイッチ２３がＯＮ・ＯＦＦしてトリガ信号を出力し、ゴルフクラブがボール２に当たってボール２が飛び出すインパクト時を的確に検出できる。
【００３１】
本発明は上記の実施の形態に限定されずに、その技術的な思想の範囲内において種々の変更がなしうることは明白である。
【符号の説明】
【００３２】
１    ティー
２    ボール
１０    カメラ
１１    受け部
１２    穴
２０    ボール検出手段
２１    可動棒
２２    スプリング
２３    スイッチ
３０    レコーダ
４０    モニタ
【図１】
2010167077.tif 000003
【図２】
2010167077.tif 000004